(57)【要約】      （修正有）【課題】メモリアルグッズ表彰記念品を、単なる装飾品としてではなく、消臭抗菌殺菌効果で環境に優しい機能性、アメニティ（快適性）を持たせるものである。【解決手段】光触媒物質を含んだ溶剤を製品の表面に塗布、噴射、浸漬させて、製品に防汚防曇効果とともに消臭抗菌殺菌効果の機能性を持たせる。しかし製品の表面が、エポキシ、アクリル、ウレタンなどの樹脂プライマーで基材をコーティングされ、着色塗装されている場合、あるいは基材そのものがプラスチック等の樹脂製品である場合、これらの樹脂は光触媒によって酸化分解されてしまうので、無機質コーティング材を中間層のバリアーとして設け、また紫外線によって反応する光触媒（酸化チタンＴｉＯ２）の場合は、中間層を設けることなく、酸化チタン層を一定の厚み以上にし、紫外線を最下層まで通さないことで、樹脂プライマー層、塗装層、基材等の樹脂部分（有機基材）の劣化を防ぐ、等の処理を施す。【選択図】図１
0003143030.tif 000002
【実用新案登録請求の範囲】
【請求項１】
優勝カップに光触媒加工を施し、製品の防汚防曇効果をもたらすと共に、単なる装飾品としてではなく、消臭抗菌殺菌効果という機能性を持たせるものである。
【請求項２】
トロフィーに光触媒加工を施し、製品の防汚防曇効果をもたらすと共に、単なる装飾品としてではなく、消臭抗菌殺菌効果という機能性を持たせるものである。
【請求項３】
クリスタル彫像に光触媒加工を施し、製品の防汚防曇効果をもたらすと共に、単なる装飾品としてではなく、消臭抗菌殺菌効果という機能性を持たせるものである。
【請求項４】
ブロンズ彫像に光触媒加工を施し、製品の防汚防曇効果をもたらすと共に、単なる装飾品としてではなく、消臭抗菌殺菌効果という機能性を持たせるものである。
【請求項５】
表彰楯に光触媒加工を施し、製品の防汚防曇効果をもたらすと共に、単なる装飾品としてではなく、消臭抗菌殺菌効果という機能性を持たせるものである。
【請求項６】
メダルに光触媒加工を施し、製品の防汚防曇効果をもたらすと共に、単なる装飾品としてではなく、消臭抗菌殺菌効果という機能性を持たせるものである。
【請求項７】
徽章、バッジに光触媒加工を施し、製品の防汚防曇効果をもたらすと共に、単なる装飾品としてではなく、消臭抗菌殺菌効果という機能性を持たせるものである。
【請求項８】
名札ネームタグに光触媒加工を施し、製品の防汚防曇効果をもたらすと共に、単なる装飾品としてではなく、消臭抗菌殺菌効果という機能性を持たせるものである。
【請求項９】
置時計に光触媒加工を施し、製品の防汚防曇効果をもたらすと共に、単なる装飾品としてではなく、消臭抗菌殺菌効果という機能性を持たせるものである。
【請求項１０】
金杯銀杯に光触媒加工を施し、製品の防汚防曇効果をもたらすと共に、単なる装飾品としてではなく、消臭抗菌殺菌効果という機能性を持たせるものである。
【請求項１１】
位牌に光触媒加工を施し、製品の防汚防曇効果をもたらすと共に、単なる装飾品としてではなく、消臭抗菌殺菌効果という機能性を持たせるものである。
【請求項１２】
額縁に光触媒加工を施し、製品の防汚防曇効果をもたらすと共に、単なる装飾品としてではなく、消臭抗菌殺菌効果という機能性を持たせるものである。
【考案の詳細な説明】
【技術分野】
【０００１】本考案は光触媒加工を施したメモリアルグッズ表彰記念品に関するものである。
【背景技術】
【０００２】光触媒技術を使った応用製品が普及してきている中で、メモリアルグッズ表彰記念品に光触媒加工を施し、製品の防汚防曇効果をもたらすと共に、表彰記念品メモリアルグッズを単なる装飾品としてではなく、消臭・抗菌・殺菌効果で環境に優しい機能性アメニティ（快適性）を持つものとさせる。
【考案の開示】
【考案が解決しようとする課題】
【０００３】優勝カップ、トロフィー、クリスタル彫像、ブロンズ彫像、表彰楯、メダル、徽章、バッジ、名札ネームタグ、置時計、金杯銀杯、位牌、額縁等に代表されるメモリアルグッズ表彰記念品に光触媒加工を施し、製品の防汚防曇効果をもたらすだけでなく、メモリアルグッズ表彰記念品を、単なる装飾品としてではなく、消臭抗菌殺菌効果で環境に優しい機能性、アメニティ（快適性）を持たせるものである。
【課題を解決するための手段】
【０００４】光触媒物質（酸化チタンＴｉＯ２、チタン酸ストロンチウムＳｒＴｉＯ３、酸化タングステンＷＯ２、酸化亜鉛ＺｎＯ、硫化亜鉛ＺｎＳ、タンタル酸ナトリウムＮａＴａＯ３、等）を含んだ溶剤を製品の表面に塗布、噴射、浸漬させて、製品に防汚防曇効果とともに消臭抗菌殺菌効果の機能性を持たせる。【０００５】優勝カップ、トロフィー、クリスタル彫像、ブロンズ彫像、表彰楯、メダル、徽章、バッジ、名札ネームタグ、置時計、金杯銀杯、位牌、額縁、等の表面に、エポキシ、アクリル、ウレタンなどの樹脂プライマーで基材をコーティングし、着色塗装されている場合、あるいは基材そのものがプラスチック等の樹脂製品である場合、これらの樹脂は光触媒によって酸化分解されてしまうので、シリコーン、シリカなどの無機質コーティング材を中間層のバリアーとして入れ、剥離・白濁、ひび割れを回避する。（図１参照）【０００６】また寒暖の差によって、熱膨張率の差から生じる光触媒層と下地との剥離・白濁や、ひび割れを、シリコーン、シリカなどの無機質コーティング材の中間層のバリアーを置くことによって防止する。（図１参照）【０００７】その際、光触媒層の屈折率と無機質コーティング材の中間層との屈折率を、同じか近い状態にして、下地（有機基材）に対する透明度を確保する。（図２参照）【０００８】また紫外線によって反応する光触媒（酸化チタンＴｉＯ２）は、前項の様に敢えて中間層を設けることなく、酸化チタン層を一定の厚み以上にし、紫外線を最下層まで通さないことで、樹脂プライマー層、塗装層、基材等の樹脂部分（有機基材）の劣化を防ぐ。【０００９】中間層のバリアーにシリコーン、シリカなどの無機質コーティング材を入れる他に、必要に応じて傾斜機能材料（有機−無機ハイブリッド材料）を使う。傾斜機能材料は、下地側には樹脂の成分に近く、光触媒（酸化チタンＴｉＯ２）側には酸化チタンに近い性質を持っているため、下地（有機基材）から剥離・白濁、ひび割れを回避する。
（図３参照）
【考案の効果】
【００１０】光触媒物質は製品の防汚防曇効果をもたらすだけでなく、消臭抗菌殺菌効果という環境に優しい機能性を持つ。  よって表彰記念品メモリアルグッズが、単なる一個人の記憶に留まる装飾品としてではなく、永くインテリアの一アイテムとして、その場を共有する家族、社員、友人等のグループに、その個人の栄誉、業績の記憶が支持され続けるアメニティ（快適性）の高いものとなる。
【考案を実施するための最良の形態】
【実施例】
【００１１】実施例１は、優勝カップに光触媒加工を施すものである。本体金属部分は無機質なので、酸化チタン層を一定の厚み以上にし紫外線を最下層まで通さずに、防汚防曇効果、消臭抗菌殺菌効果をもたらす。台座部分は木製ないしプラスチック等の樹脂なので、これらの樹脂が光触媒によって酸化分解されてしまうのを防ぐために、図１のように、シリコーン、シリカなどの無機質コーティング材を中間層のバリアーとして入れ、ひび割れ、剥離白濁を回避しつつ防汚防曇効果、消臭抗菌殺菌効果をもたらす。【００１２】実施例２は、トロフィーに光触媒加工を施すものである。人形部分以外は木製ないしプラスチック等の樹脂なので、これらの樹脂が光触媒によって酸化分解されてしまうのを防ぐために、図１のように、シリコーン、シリカなどの無機質コーティング材を中間層のバリアーとして入れ、ひび割れ、剥離白濁を回避しつつ防汚防曇効果、消臭抗菌殺菌効果をもたらす。【００１３】実施例３は、クリスタル彫像に光触媒加工を施すものである。本体ガラス部分は無機質なので、酸化チタン層を一定の厚み以上にし紫外線を最下層まで通さずに、防汚防曇効果、消臭抗菌殺菌効果をもたらす。またガラスの透明度を確保するため、図２のように、光触媒層の屈折率と基材との屈折率を同じか近い状態にする。
台座部分は木製ないしプラスチック等の樹脂なので、これらの樹脂が光触媒によって酸化分解されてしまうのを防ぐために、図１のように、シリコーン、シリカなどの無機質コーティング材を中間層のバリアーとして入れ、ひび割れ、剥離白濁を回避しつつ防汚防曇効果、消臭抗菌殺菌効果をもたらす。【００１４】実施例４は、ブロンズ彫像に光触媒加工を施すものである。本体金属部分はプライマーで下地処理、着色塗装されており、台座部分は木製ないしプラスチック等の樹脂なので、これらの樹脂が光触媒によって酸化分解されてしまうのを防ぐために、図１のように、シリコーン、シリカなどの無機質コーティング材を中間層のバリアーとして入れ、ひび割れ、剥離白濁を回避しつつ防汚防曇効果、消臭抗菌殺菌効果をもたらす。【００１５】実施例５は、表彰楯に光触媒加工を施すものである。本体木製部分、飾りの金属部分樹脂部分はプライマーで下地処理、着色塗装されており、これらの樹脂が光触媒によって酸化分解されてしまうのを防ぐために、図１のように、シリコーン、シリカなどの無機質コーティング材を中間層のバリアーとして入れ、ひび割れ、剥離白濁を回避しつつ防汚防曇効果、消臭抗菌殺菌効果をもたらす。【００１６】実施例６は、徽章バッジに光触媒加工を施すものである。本体金属部分は無機質なので、酸化チタン層を一定の厚み以上にし紫外線を最下層まで通さずに、防汚防曇効果、消臭抗菌殺菌効果をもたらす。また金属光沢の透明度を確保するため、図２のように、光触媒層の屈折率と基材との屈折率を同じか近い状態にする。【００１７】実施例７は、メダルに光触媒加工を施すものである。本体金属部分は無機質なので、酸化チタン層を一定の厚み以上にし紫外線を最下層まで通さずに、防汚防曇効果、消臭抗菌殺菌効果をもたらす。また金属光沢の透明度を確保するため、図２のように、光触媒層の屈折率と基材との屈折率を同じか近い状態にする。【００１８】実施例８は、名札ネームタグに光触媒加工を施すものである。本体部分は木製ないし金属塗装、プラスチック等の樹脂なので、これらが光触媒によって酸化分解されてしまうのを防ぐために、図１のように、シリコーン、シリカなどの無機質コーティング材を中間層のバリアーとして入れ、ひび割れ、剥離白濁を回避しつつ防汚防曇効果、消臭抗菌殺菌効果をもたらす。【００１９】実施例９は、置時計に光触媒加工を施すものである。本体木製部分、飾りの金属部分樹脂部分はプライマーで下地処理、着色塗装されており、これらの樹脂が光触媒によって酸化分解されてしまうのを防ぐために、図１のように、シリコーン、シリカなどの無機質コーティング材を中間層のバリアーとして入れ、ひび割れ、剥離白濁を回避しつつ防汚防曇効果、消臭抗菌殺菌効果をもたらす。【００２０】実施例１０は、金杯銀杯に光触媒加工を施すものである。本体金属部分は無機質なので、酸化チタン層を一定の厚み以上にし紫外線を最下層まで通さずに、防汚防曇効果、消臭抗菌殺菌効果をもたらす。【００２１】実施例１１は、位牌に光触媒加工を施すものである。本体木製部分ないし金属製部分は樹脂着色塗装、あるいは本体がアクリル等の樹脂製なので、これらが光触媒によって酸化分解されてしまうのを防ぐために、図１のように、シリコーン、シリカなどの無機質コーティング材を中間層のバリアーとして入れ、ひび割れ、剥離白濁を回避しつつ防汚防曇効果、消臭抗菌殺菌効果をもたらす。【００２２】実施例１２は、額縁に光触媒加工を施すものである。本体木製部分、飾りの金属部分、樹脂部分はプライマーで下地処理、着色塗装されており、これらの樹脂が光触媒によって酸化分解されてしまうのを防ぐために、図１のように、シリコーン、シリカなどの無機質コーティング材を中間層のバリアーとして入れ、ひび割れ、剥離白濁を回避しつつ防汚防曇効果、消臭抗菌殺菌効果をもたらす。  表面ガラス部分は無機質なので、酸化チタン層を一定の厚み以上にし紫外線を最下層まで通さずに、防汚防曇効果、消臭抗菌殺菌効果をもたらす。またガラスの透明度を確保するため、図２のように、光触媒層の屈折率と基材との屈折率を同じか近い状態にする。
【図面の簡単な説明】
【００２３】
【図１】光触媒層と無機質コーティング材の中間層バリアーの断面図
【図２】光触媒層と基材に対する透明度確保の断面図
【図３】光触媒層と傾斜機能材料（有機−無機ハイブリッド材料）中間層の断面図
【符号の説明】
【００２４】ａ  金属素材
ｂ  木製台（エポキシ、アクリル、ウレタンなどの樹脂溶剤で着色塗装）あるいは樹脂台
ｃ  プラスチック部材、アクリル部材（石油系樹脂製品）
ｄ  金属材料にエポキシ、アクリル、ウレタンなどの樹脂溶剤で着色塗装
ｅ  ガラス素材
【図１】
0003143030.tif 000003
【図２】
0003143030.tif 000004
【図３】
0003143030.tif 000005
【手続補正書】
【提出日】平成20年3月21日(2008.3.21)
【手続補正１】
【補正対象書類名】実用新案登録請求の範囲
【補正対象項目名】全文
【補正方法】変更
【補正の内容】
【実用新案登録請求の範囲】
【請求項１】
優勝カップに光触媒加工を施し、製品の防汚防曇効果をもたらすと共に、単なる装飾品としてではなく、消臭抗菌殺菌効果という機能性を持つ表彰記念品。
【請求項２】
トロフィーに光触媒加工を施し、製品の防汚防曇効果をもたらすと共に、単なる装飾品としてではなく、消臭抗菌殺菌効果という機能性を持つ表彰記念品。
【請求項３】
クリスタル彫像に光触媒加工を施し、製品の防汚防曇効果をもたらすと共に、単なる装飾品としてではなく、消臭抗菌殺菌効果という機能性を持つ表彰記念品。
【請求項４】
ブロンズ彫像に光触媒加工を施し、製品の防汚防曇効果をもたらすと共に、単なる装飾品としてではなく、消臭抗菌殺菌効果という機能性を持つ表彰記念品。
【請求項５】
表彰楯に光触媒加工を施し、製品の防汚防曇効果をもたらすと共に、単なる装飾品としてではなく、消臭抗菌殺菌効果という機能性を持つ表彰記念品。
【請求項６】
メダルに光触媒加工を施し、製品の防汚防曇効果をもたらすと共に、単なる装飾品としてではなく、消臭抗菌殺菌効果という機能性を持つ表彰記念品。
【請求項７】
徽章、バッジに光触媒加工を施し、製品の防汚防曇効果をもたらすと共に、単なる装飾品としてではなく、消臭抗菌殺菌効果という機能性を持つメモリアルグッズ。
【請求項８】
名札ネームタグに光触媒加工を施し、製品の防汚防曇効果をもたらすと共に、単なる装飾品としてではなく、消臭抗菌殺菌効果という機能性を持つメモリアルグッズ。
【請求項９】
置時計に光触媒加工を施し、製品の防汚防曇効果をもたらすと共に、単なる装飾品としてではなく、消臭抗菌殺菌効果という機能性を持つ記念品。
【請求項１０】
金杯銀杯に光触媒加工を施し、製品の防汚防曇効果をもたらすと共に、単なる装飾品としてではなく、消臭抗菌殺菌効果という機能性を持つ表彰記念品。
【請求項１１】
位牌に光触媒加工を施し、製品の防汚防曇効果をもたらすと共に、単なる装飾品としてではなく、消臭抗菌殺菌効果という機能性を持つメモリアルグッズ。
【請求項１２】
額縁に光触媒加工を施し、製品の防汚防曇効果をもたらすと共に、単なる装飾品としてではなく、消臭抗菌殺菌効果という機能性を持つメモリアルグッズ。